(57)【要約】【課題】取付面に着脱自在に取り付けた際に、取付面からの突出量を小さくできるトイレ用リモコンを提供する。【解決手段】トイレ装置を操作するために用いるトイレ用リモコンＲであって、前記トイレ装置に操作信号を送信するリモコン本体１０と、取付面Ｔに固定されて前記リモコン本体１０を着脱自在に保持するホルダ３０と、を備え、前記リモコン本体１０に凹部１５が設けられ、前記ホルダ３０が前記凹部１５に位置した状態で、前記リモコン本体１０が前記ホルダ３０に保持される。【選択図】図１
2020143541.tif 000002
【特許請求の範囲】
【請求項１】
トイレ装置を操作するために用いるトイレ用リモコンであって、
前記トイレ装置に操作信号を送信するリモコン本体と、
取付面に固定されて前記リモコン本体を着脱自在に保持するホルダと、を備え、
前記リモコン本体に凹部が設けられ、
前記ホルダが前記凹部に位置した状態で、前記リモコン本体が前記ホルダに保持されるトイレ用リモコン。
【請求項２】
前記リモコン本体と前記ホルダとを固定する磁石を備えている請求項１に記載のトイレ用リモコン。
【請求項３】
取付面に固定された前記ホルダに前記リモコン本体が保持されたリモコン取付状態において、前記凹部の上下両面及び前記ホルダの上下両面が、前記ホルダに対する前記リモコン本体の上下方向の位置決めを行う位置決め部である請求項１又は請求項２に記載のトイレ用リモコン。
【請求項４】
前記リモコン本体は、前記リモコン取付状態において、前記取付面の正面側から見たときに、前記ホルダの全体を覆っている請求項１ないし請求項３のいずれか一項に記載のトイレ用リモコン。
【請求項５】
前記凹部に操作部が設けられている請求項１から請求項４のいずれか一項に記載のトイレ用リモコン。
【請求項６】
前記リモコン本体は、前記取付面に臨む側の面に操作部が設けられ、
前記ホルダは、前記リモコン取付状態において前記操作部と対向する領域に窪み部が形成されている請求項１から請求項５のいずれか一項に記載のトイレ用リモコン。
【発明の詳細な説明】
【技術分野】
【０００１】
本発明は、トイレ用リモコンに関する。
【背景技術】
【０００２】
従来、トイレ装置を操作するために用いるトイレ用リモコンが知られている。トイレ用リモコンは、トイレ装置に操作信号を送信するリモコン本体を備えている。リモコン本体は、持ち運びできるハンディタイプのものがある。ハンディタイプのリモコン本体は、一般に、取付面に固定されたホルダに着脱自在に保持される。例えば下記特許文献１の図１には、箱型をなすホルダにリモコン本体を挿入して保持するものが記載されている。ホルダは、上面側が開口した形態をなし、リモコン本体は上方から挿入される。リモコン本体は、ホルダの周面及び下面によって、ホルダに保持される。
【先行技術文献】
【特許文献】
【０００３】
【特許文献１】特開２０１１−８４８６７号公報
【発明の概要】
【発明が解決しようとする課題】
【０００４】
しかしながら、上記のような構成では、ホルダの厚さ寸法分、すなわちリモコン本体の厚さ寸法とリモコン本体の着脱のためのクリアランスとを含む寸法分が、取付面から突出する。このため、トイレ用リモコンが取付面から突出する量が大きく、見た目がよくなかったり、邪魔になったりするという問題があった。
【０００５】
本発明は上記のような事情に基づいて完成されたものであって、取付面に着脱自在に取り付けた際に、取付面からの突出量を小さくできるトイレ用リモコンを提供することを目的とする。
【課題を解決するための手段】
【０００６】
本発明のトイレ用リモコンは、トイレ装置を操作するために用いるトイレ用リモコンであって、前記トイレ装置に操作信号を送信するリモコン本体と、取付面に固定されて前記リモコン本体を着脱自在に保持するホルダと、を備え、前記リモコン本体に凹部が設けられ、前記ホルダが前記凹部に位置した状態で、前記リモコン本体が前記ホルダに保持されるものである。
【発明の効果】
【０００７】
本発明によれば、ホルダがリモコン本体の凹部に位置してリモコン本体をホルダが保持するため、取付面とリモコン本体との間の隙間を小さくできるから、トイレ用リモコンの取付面からの突出量を小さくできる。
【図面の簡単な説明】
【０００８】
【図１】本実施例におけるトイレ用リモコンであって、リモコン本体の裏面側及びホルダの表面側を示す斜視図
【図２】取付面に固定されたホルダにリモコン本体が保持された状態を示す正面図
【図３】取付面に固定されたホルダにリモコン本体が保持された状態を示す断面図であって、図２のＡ−Ａ位置における断面に相当する断面図
【図４】リモコン本体の裏面を示す背面図
【図５】蓋部材を取り外した状態のホルダを示す斜視図
【発明を実施するための形態】
【０００９】
本発明の好ましい形態を以下に示す。
本発明のトイレ用リモコンは、前記リモコン本体と前記ホルダとを固定する磁石を備えているものとしてもよい。このような構成によれば、磁力によりリモコン本体がホルダに保持されるから、保持力を確保できる。
【００１０】
本発明のトイレ用リモコンは、取付面に固定された前記ホルダに前記リモコン本体が保持されたリモコン取付状態において、前記凹部の上下両面及び前記ホルダの上下両面が、前記ホルダに対する前記リモコン本体の上下方向の位置決めを行う位置決め部であるものとしてもよい。このような構成によれば、リモコン本体の凹部をホルダに嵌め込むことにより、リモコン本体の上下方向の位置を決めることができる。
【００１１】
また、本発明のトイレ用リモコンは、前記リモコン本体が、前記リモコン取付状態において、前記取付面の正面側から見たときに、前記ホルダの全体を覆っているものとしてもよい。このような構成によれば、リモコン取付状態で取付面の正面側からホルダが見えないから、見た目を良くすることができる。
【００１２】
また、本発明のトイレ用リモコンは、前記凹部に操作部が設けられているものとしてもよい。このような構成によれば、リモコン本体をホルダに着脱する際、操作部に手が触れにくいから、意図しない操作部の操作を防止できる。
【００１３】
また、本発明のトイレ用リモコンにおいて、前記リモコン本体は、前記取付面に臨む側の面に操作部が設けられ、前記ホルダは、前記リモコン取付状態において前記操作部と対向する領域に窪み部が形成されているものとしてもよい。このような構成によれば、リモコン取付状態でホルダがリモコン本体の操作部に接触しないから、ホルダと操作部との当接を防ぐことができる。
【００１４】
＜実施例＞
以下、本発明を具体化した一実施例について、図１〜図４を参照しつつ詳細に説明する。
本実施例におけるトイレ用リモコンＲは、図示しないトイレ装置を操作するために用いられる。トイレ用リモコンＲは、トイレ装置に操作信号を送信するリモコン本体１０を備えている。リモコン本体１０は、持ち運びできるハンディタイプのものである。トイレ用リモコンＲは、リモコン本体１０を着脱自在に保持するホルダ３０を備えている。ホルダ３０は、取付面Ｔに固定される。リモコン本体１０には、ホルダ３０が位置する凹部１５が設けられている。リモコン本体１０は、凹部１５がホルダ３０に位置した状態で取付面Ｔに固定されたホルダ３０に保持される。以下、各構成部材において、取付面Ｔに固定されたホルダ３０にリモコン本体１０が保持された状態（リモコン取付状態）における上側（図３では上側）を上方、下側（図３では下側）を下方とし、リモコン取付状態における取付面Ｔに臨む側（図３では左側）を裏側、その反対側（図３では右側）を表側として説明する。
【００１５】
リモコン本体１０は、片手で持って操作できる大きさを有している。リモコン本体１０は、上下方向に長い略長方形の板状をなしている。リモコン本体１０の上下方向の寸法及び左右方向の寸法は、ホルダ３０の上下方向の寸法及び左右方向の寸法より大きい。
【００１６】
リモコン本体１０の表面１２（リモコン取付状態において取付面Ｔと反対側の面）は、図３に示すように、全体が透明な樹脂カバー１３で覆われた凹凸のないフラットな面である。
【００１７】
リモコン本体１０の表面１２には、図２に示すように、第１操作部１４が設けられている。第１操作部１４は、使用頻度の多い操作スイッチを有している。操作スイッチは、トイレ装置の各種機能を実行する際に操作されるものであり、例えば便器洗浄（大、小）、局部洗浄、便座便蓋の開閉操作、温風乾燥、洗浄強さの調整、ノズル位置の調整、各種温度の調整などのスイッチである。第１操作部１４は、触れるだけで反応する静電スイッチが用いられている。
【００１８】
リモコン本体１０の裏面１１には、図１及び図４に示すように、ホルダ３０に嵌合する凹部１５が設けられている。凹部１５の大きさは、リモコン本体１０の長さ（上下方向の寸法）の半分よりも大きく、リモコン本体１０の幅（左右方向の寸法）の半分よりも大きく形成されている。凹部１５は、リモコン本体１０の上側略半分以上の領域（第１操作部１４に対応する領域）に形成されている。凹部１５は、周面（上下両面１６及び左右両面１７）によって全周が取り囲まれた方形状の凹みである。凹部１５の奥面１８は、リモコン本体１０の表面１２と略平行である。
【００１９】
凹部１５の上下両面１６及び左右両面１７には、凹部１５とホルダ３０との嵌合動作を案内する傾斜部１９が設けられている。傾斜部１９は、図３に示すように、凹部１５の奥面１８から裏側（凹部１５の開放側）に向かって互いの間隔が広がるように傾斜している。
【００２０】
リモコン本体１０の裏面１１には、図４に示すように、第２操作部２１が設けられている。第２操作部２１は、使用頻度の少ない設定スイッチを有している。設定スイッチは、リモコン本体の電源のＯＮ，ＯＦＦや、節電や自動洗浄等のＯＮ，ＯＦＦ設定、また時刻の設定等を行う際に操作される。第２操作部２１は、押圧操作により動作する押圧スイッチが用いられている。リモコン本体１０の裏面１１には、設定状態などを表示する表示部２２が備えられている。
【００２１】
第２操作部２１及び表示部２２は、凹部１５の奥面１８に設けられている。第２操作部２１は、凹部１５の奥面１８のうち上側の領域に配されている。表示部２２は、凹部１５の奥面１８のうち下側の領域に配されている。
【００２２】
リモコン本体１０には、図１に示すように、リモコン本体１０とホルダ３０とを固定する磁石（以後、本体側磁石２３と称する。）が備えられている。本体側磁石２３は、凹部１５の形成範囲内に備えられている。本体側磁石２３は、後述するホルダ３０の窪み部３６を避けた位置に配置されている。本体側磁石２３は、凹部１５の下端の左右両端部に一対と、凹部１５の上下方向における中間部の左右両側に一対とが備えられている。言い換えると、本体側磁石２３は、表示部２２の角部の近傍に一ずつ配置されている。
【００２３】
リモコン本体１０には、第１操作部１４の操作時に振動する振動モータや、リモコン本体１０の傾き検出に用いられる３軸センサが備えられている。リモコン本体１０の下部（凹部１５より下側の部分）には、電池が収納される収納部２４が設けられている。
【００２４】
ホルダ３０は、図１に示すように、リモコン本体１０の凹部１５と概ね同形の長方形状をなしている。ホルダ３０の大きさは、リモコン本体１０の長さ（上下方向の寸法）の半分よりも大きく、リモコン本体１０の幅（左右方向の寸法）の半分よりも大きく形成されている。ホルダ３０は、リモコン本体１０より薄い板状をなしている。ホルダ３０は、全体が凹部１５に嵌合する。言い換えると、ホルダ３０の面方向の大きさ（上下方向の寸法及び左右方向の寸法）は、凹部１５の奥面１８の大きさより小さい。ホルダ３０の厚さ寸法（表裏方向の寸法）は、図３に示すように、凹部１５の深さ寸法（表裏方向の寸法）より大きい。
【００２５】
ホルダ３０は、取付面Ｔに固定された状態（以後、固定状態と称する。）において取付面Ｔに略平行をなす表面及び裏面を備えている。ホルダ３０は、表面及び裏面の外周を取り囲む外周面（上下両面３４及び左右両面３５）を備えている。ホルダ３０の上下両面３４及び左右両面３５には、図３に示すように、凹部１５の上下両面１６及び左右両面１７の傾斜部１９と概ね同じ勾配で傾斜した傾斜部３３が設けられている。傾斜部３３は、上下両面３４及び左右両面３５の表側の端部に形成されている。
【００２６】
ホルダ３０の表面３１には、図１に示すように、リモコン取付状態において第２操作部２１と対向する部分に窪み部３６が形成されている。窪み部３６は、ホルダ３０の表面３１の上側領域にわたる方形状をなす。窪み部３６は、第２操作部２１が配置された領域全体に相当する大きさである。窪み部３６は、段差部３７で全周を囲まれている。ホルダ３０の表面３１は、段差部３７を除き平坦な面とされている。
【００２７】
ホルダ３０には、図１に示すように、リモコン本体１０とホルダ３０とを固定する磁石（以後、ホルダ側磁石３８と称する。）が備えられている。ホルダ側磁石３８は、本体側磁石２３と対応する位置に４つが配置されている。ホルダ側磁石３８は、本体側磁石２３より大きいブロック状をなしている。
【００２８】
ホルダ３０には、図３に示すように、ホルダ３０を取付面Ｔに固定するための固定部３９が設けられている。固定部３９には、ビス孔が形成されている。固定部３９は、図５に示すように、ホルダ３０のうち窪み部３６より下方の領域に設けられている。固定部３９は、上下に一対が備えられている。固定部３９は、ホルダ３０に対し着脱自在な蓋部材４１で覆われている。
【００２９】
次に、リモコン取付状態について説明する。
固定状態のホルダ３０の上下両面３４は左右方向で概ね水平をなし、ホルダ３０の左右両面３５は概ね垂直をなす（図２参照）。
【００３０】
リモコン取付状態では、リモコン本体１０の凹部１５の上下両面１６とホルダ３０の上下両面３４とが当接または近接して配される。凹部１５の上下両面１６及びホルダ３０の上下両面３４は、ホルダ３０に対してリモコン本体１０の上下方向の位置決めを行う位置決め部である。
【００３１】
リモコン取付状態では、リモコン本体１０の凹部１５の左右両面１７とホルダ３０の左右両面３５とが当接または近接して配される。凹部１５の左右両面１７及びホルダ３０の左右両面３５は、ホルダ３０に対してリモコン本体１０の左右方向の位置決めを行う位置決め部である。
【００３２】
リモコン取付状態では、本体側磁石２３とホルダ側磁石３８とが近接する。本体側磁石２３及びホルダ側磁石３８の磁力によりリモコン本体１０がホルダ３０にガタつきなく固定される。
【００３３】
ホルダ３０の表面３１は、図３に示すように、窪み部３６を除き、凹部１５の奥面１８と当接または近接して配される。図３の拡大図に示すように、窪み部３６においては、ホルダ３０の表面３１は、凹部１５の奥面１８から離れて配される。
【００３４】
リモコン取付状態におけるトイレ用リモコンＲを取付面Ｔの正面側から見ると、図２に示すように、リモコン本体１０がホルダ３０の全体を覆っている。
リモコン取付状態におけるトイレ用リモコンＲを側面側から見ると、図３に示すように、リモコン本体１０の裏面１１と取付面Ｔとの間に若干の隙間Ｓが空いている。隙間Ｓの表裏方向の寸法は、ホルダ３０の厚さ寸法（表裏方向の寸法）の半分程度の寸法である。
【００３５】
次に、本実施例にかかるトイレ用リモコンＲの使用に関する動作の一例を説明する。
まず、リモコン本体１０をホルダ３０から取り外す。使用者がリモコン本体１０を把持してホルダ３０から離す方向に動かす。このとき、使用者は、リモコン本体１０を任意の方向に動かしてホルダ３０から取り外すことができる。すなわち、使用者は、リモコン本体１０を、上下左右のどの方向に動かしてもホルダ３０から取り外すことができる。この際、使用者は、第１操作部１４を避けた領域を把持しやすい。すなわち使用者は、第１操作部１４に対応する位置に設けられた凹部１５ではなく、他の部分を把持しやすい。第２操作部２１が凹部１５の奥面１８に設けられているから、リモコン本体１０を把持した使用者の指が第２操作部２１を押圧しにくい。これにより、リモコン本体１０をホルダ３０から取り外す際の第２操作部２１の誤操作を防ぐことができる。
【００３６】
次に、リモコン本体１０を操作する。第１操作部１４をタッチして、便器洗浄や局部洗浄などトイレ装置の各種機能を実行する。この際、振動モータが振動し、使用者は触覚的フィードバックを得られる。また、第２操作部２１を押圧して、各種の設定を行う。第２操作部２１の操作は、リモコン本体１０の裏面１１を上方に向け、リモコン本体１０を横向きに把持して行われる。この際、３軸センサにより、使用者が第２操作部２１を操作しようとしていることが検出され、第１操作部１４は操作不能になる。よって、使用者の手指が第１操作部１４に触れても、第１操作部１４が誤って操作されることを防ぐことができる。
【００３７】
次に、リモコン本体１０をホルダ３０に取り付ける。リモコン本体１０の裏面１１を取付面Ｔに向けて凹部１５をホルダ３０に嵌合する。この際、使用者は、リモコン本体１０を任意の方向からホルダ３０に近づけることができる。すなわち、使用者は、リモコン本体１０を、上下左右のどの方向からでもホルダ３０に近づけることができる。この際、第２操作部２１が凹部１５の奥面１８に設けられているから、リモコン本体１０を把持した使用者の指が第２操作部２１を押圧しにくい。これにより、リモコン本体１０をホルダ３０に取り付ける際の第２操作部２１の誤操作を防ぐことができる。
【００３８】
リモコン本体１０の凹部１５がホルダ３０の位置に配されると、凹部１５の傾斜部１９及びホルダ３０の傾斜部３３によって凹部１５とホルダ３０との嵌合が案内される。凹部１５とホルダ３０とが嵌合すると同時に、本体側磁石２３とホルダ側磁石３８とが表裏に近接し、本体側磁石２３及びホルダ側磁石３８の磁力でリモコン本体１０が固定される。
以上により、トイレ用リモコンＲの使用に関する一連の動作が完了する。
【００３９】
次に、上記のように構成された実施例の作用および効果について説明する。
本実施例におけるトイレ用リモコンＲは、トイレ装置を操作するために用いるトイレ用リモコンＲである。トイレ用リモコンＲは、トイレ装置に操作信号を送信するリモコン本体１０と、取付面Ｔに固定されてリモコン本体１０を着脱自在に保持するホルダ３０と、を備えている。リモコン本体１０には凹部１５が設けられている。ホルダ３０が凹部１５に嵌合した状態で、リモコン本体１０がホルダ３０に保持される。この構成によれば、取付面Ｔとリモコン本体１０との間の隙間Ｓを小さくできるから、トイレ用リモコンＲの取付面Ｔからの突出量を小さくできる。
【００４０】
また、トイレ用リモコンＲは、リモコン本体１０とホルダ３０とを固定する本体側磁石２３、ホルダ側磁石３８を備えている。この構成によれば、磁力によりリモコン本体１０がホルダ３０に保持されるから、保持力を確保できる。
【００４１】
また、トイレ用リモコンＲは、リモコン取付状態において、凹部１５の上下両面１６及びホルダ３０の上下両面３４が、リモコン本体１０及びホルダ３０の上下方向の位置決めを行う位置決め部である。この構成によれば、リモコン本体１０の凹部１５をホルダ３０に嵌め込むことにより、リモコン本体１０がホルダ３０に位置決めされるから、リモコン本体１０をホルダ３０に取り付ける作業を容易に行うことができる。
【００４２】
また、トイレ用リモコンＲは、リモコン取付状態におけるリモコン本体１０が、取付面Ｔの正面側から見たときに、ホルダ３０の全体を覆う大きさを有する。この構成によれば、リモコン取付状態で取付面Ｔの正面側からホルダ３０が見えないから、リモコン取付状態の見た目を良くすることができる。
【００４３】
また、トイレ用リモコンＲは、凹部１５に第２操作部２１が設けられている。この構成によれば、リモコン本体１０をホルダ３０に着脱する際、操作部に手が触れにくいから、意図しない第２操作部２１の操作を防止できる。
【００４４】
また、リモコン本体１０は、裏面１１に第２操作部２１が設けられ、ホルダ３０は、リモコン取付状態において第２操作部２１と対向する領域に窪み部３６が形成されている。この構成によれば、リモコン取付状態でホルダ３０がリモコン本体１０の第２操作部２１に接触しないから、ホルダ３０と第２操作部２１との当接を防ぐことができる。
【００４５】
＜他の実施例＞
本発明は上記記述及び図面によって説明した実施例に限定されるものではなく、例えば次のような実施例も本発明の技術的範囲に含まれる。
（１）上記実施例では、凹部１５は、周面によって全周が取り囲まれているが、これに限らず、凹部は、例えば左右が開放されていてもよい。
（２）上記実施例では、凹部１５及びホルダ３０は、ともに長方形状をなしているが、これに限らず、凹部及びホルダは互いに嵌合できる形状であればよく、例えば共に円形状であってもよいし、一方が長方形状、他方が台形状等、凹部とホルダとが異なる形状であってもよい。
（３）上記実施例では、リモコン本体１０とホルダ３０とを本体側磁石２３及びホルダ側磁石３８により固定するが、これに限らず、他の固定手段を用いてもよいし、このような固定手段を用いることなく、凹部及びホルダの嵌合のみ（例えば凹部とホルダとの嵌合代（嵌合深さ）を増す等）によってリモコン本体をホルダに保持してもよい。
（４）上記実施例では、ホルダ３０の全体が凹部１５に嵌合するが、これに限らず、ホルダは、凹部との嵌合部分と、この嵌合部分から取付面に平行な方向に延出する部分（リモコン取付状態において、取付面の正面側から見たときに、リモコン本体によって覆われない部分）を有していてもよい。
（５）上記実施例では、凹部１５の上下両面１６及びホルダ３０の上下両面３４が、ホルダ３０に対するリモコン本体１０の上下方向の位置決めを行うが、これに限らず、凹部の上下両面及びホルダの上下両面は、必ずしもこのような位置決め機能を有しなくてもよい。
（６）上記実施例では、リモコン取付状態におけるリモコン本体１０を取付面Ｔの正面側から見たときに、リモコン本体１０がホルダ３０の全体を覆う大きさを有するが、これに限らず、リモコン本体は、ホルダを部分的に覆う大きさであってもよい。
（７）上記実施例では、リモコン本体１０の裏面１１の凹部１５に第２操作部２１が設けられているが、必ずしもリモコン本体の裏面に操作部を設けなくてもよいし、第２操作部をリモコン本体の裏面の凹部ではない領域に設けてもよい。
（８）上記実施例では、ホルダ３０に窪み部３６が設けられているが、必ずしもホルダに窪み部を設けなくてもよい。この場合、第２操作部側に窪み部を設けてもよく、例えば凹部の奥面に窪み部を形成し、この窪み部に第２操作部を設けてもよい。
（９）上記実施例では、本体側磁石２３及びホルダ側磁石３８の形状、個数、配置位置などを例示したが、これに限らず、磁石の形状、個数、配置位置などは任意に変更でき、例えば磁石の形状は、棒状や枠状などであってもよい。
（１０）上記実施例では、ホルダ３０の上下両面３４及び左右両面３５に、凹部１５の上下両面１６及び左右両面１７の傾斜部１９と概ね同じ勾配で傾斜した傾斜部３３が設けられているが、これに限らず、ホルダの傾斜部は凹部の傾斜部と同じ勾配でなくてもよく、また湾曲面などであってもよい。
（１１）上記実施例では、リモコン本体１０の凹部１５にホルダ３０が嵌合するが、その嵌合は、リモコン本体１０とホルダ３０との間に隙間があるようにしてもよい。
（１２）上記実施例では、リモコン本体１０に本体側磁石２３を設け、ホルダ３０にホルダ側磁石３８を設けたが、これに限らず、リモコン本体及びホルダのどちらか一方のみに磁石を設けてもよい。
【符号の説明】
【００４６】
Ｒ…トイレ用リモコン
Ｔ…取付面
１０…リモコン本体
１１…リモコン本体の裏面（リモコン本体のうち取付面に臨む側の面）
１５…凹部
１６…凹部の上下両面
２１…第２操作部（操作部）
２３…本体側磁石
３０…ホルダ
３４…ホルダの上下両面
３６…窪み部
３８…ホルダ側磁石
【図１】
2020143541.tif 000003
【図２】
2020143541.tif 000004
【図３】
2020143541.tif 000005
【図４】
2020143541.tif 000006
【図５】
2020143541.tif 000007